(57)【要約】本発明は、消毒するために用いられて、全ての種類の国家経済、医学、実験室に適用される調製物に関する。この調製物は、単座配位子、２座配位子または多座配位子を有するキレート化金属錯体化合物、イオン発生性界面活性剤および溶媒を含み、このキレート化金属錯体化合物は、水素イオンに対する親和性を示す。この調製物は、防腐特性および内容物の有効性を示す。この調製物は、グラム陽性細菌およびグラム陰性細菌、ウイルス、芽胞に影響を及ぼす。この調製物は、広範な温度区間において適用され得る。【特許請求の範囲】
【請求項１】
殺微生物性消毒組成物であって、該組成物は、イオン発生性界面活性剤、キレート化錯体および溶媒を含み、ここで、単座配位子、２座配位子または多座配位子を含むキレート化金属錯体化合物を含み、該配位子は、水素イオンに対する親和性を示し、ここで、該配位子およびイオン生成性界面活性剤の、溶媒に対する比は、約１〜約（７〜９）である、組成物。
【請求項２】
前記配位子を含む前記キレート化金属錯体化合物が、銅、亜鉛、水銀、クロム、マンガン、ニッケル、カドミウム、ヒ素、コバルト、アルミニウム、鉛、セレン、白金、金、チタン、スズまたはそれらの組合せから選択される金属を有するキレート化錯体化合物である、請求項１に記載の消毒組成物。
【請求項３】
前記単座配位子、２座配位子および多座配位子が、天然アミノ酸、イミノ二酢酸またはニトリル三酢酸、ならびにアミノカルボン酸基を含まないアミノ酸フラグメントの種々の残部を有する、イミノ二酢酸およびニトリル三酢酸の（カルボン酸基に対してα位の）炭素置換誘導体、アルキレンジアミノポリ酢酸、ならびにアミノカルボン酸基を含まないアミノ酢酸フラグメントの種々の残部を有するポリアルキレンポリアミノポリ酢酸の（該カルボン酸基に対してα位の）炭素置換誘導体、ω−ホスホノカルボン酸およびエチレンジホスホンテトラプロピオン酸の誘導体、エチレンテトラ（チオ酢酸）およびジエチレントリチオジ酢酸の誘導体、カルボン酸基がホスホン基によって置換されているモノアミンコンプレクソン、またはそれらの混合物のアニオンから選択される、請求項１または２に記載の消毒組成物。
【請求項４】
単座配位子、２座配位子または多座配位子を含む前記キレート化金属錯体化合物が、イソロイシン、フェニルアラニン、ロイシン、リジン、メチオニン、トレオニン、トリプトファン、バリン、アラニン、グリジン、アルギニン、ヒスチジンまたはそれらの混合物から選択される少なくとも１つのアミノ酸を有するキレート化錯体化合物である、請求項１または２に記載の消毒組成物。
【請求項５】
前記溶媒が水であり、好ましくは蒸留水である、請求項１に記載の組成物。
【請求項６】
イオン発生性界面活性剤、キレート化錯体および溶媒を含む、消毒組成物であって、該キレート化錯体は、単座配位子、２座配位子または多座配位子を含むキレート化金属錯体化合物を含み、該配位子は、水素イオンに対する親和性を示し、そして該溶媒は、以下の重量％比：
水素イオンに対する親和性を示す、単座配位子、２座配位子または多座配位子を含むキレート化錯体金属化合物  約１〜３０；
イオン発生性界面活性剤  約０．１〜１５；
脂肪族アルコール（Ｃ１〜Ｃ８）  約０．５〜９５；
蒸留水  残り；
の水と脂肪族アルコール（Ｃ１〜Ｃ８）との混合物を含む、消毒組成物。
【請求項７】
前記キレート化錯体金属化合物が、グリシネート銅ハライド錯体である、請求項１に記載の消毒組成物。
【請求項８】
前記金属のキレート化錯体化合物が、エチレンジアミノテトラアセテート亜鉛錯体である、請求項１に記載の消毒組成物。
【請求項９】
前記イオン発生性界面活性剤が、セチルピリジニウムハロゲン化物である、請求項１〜５のいずれか１項に記載の消毒組成物。
【請求項１０】
前記イオン発生性界面活性剤が、セチルトリメチルアンモニウムハロゲン化物である、請求項１〜５のいずれか１項に記載の消毒組成物。
【請求項１１】
前記配位子を含む前記キレート化金属錯体化合物が、銅、亜鉛、水銀、クロム、マンガン、ニッケル、カドミウム、ヒ素、コバルト、アルミニウム、鉛、セレン、白金、金、チタン、スズまたはそれらの組合せから選択される金属を有するキレート化錯体化合物である、請求項６に記載の消毒組成物。
【請求項１２】
前記単座配位子、２座配位子および多座配位子が、天然アミノ酸、イミノ二酢酸またはニトリル三酢酸、ならびにアミノカルボン酸基を含まないアミノ酸フラグメントの種々の残部を有する、イミノ二酢酸およびニトリル三酢酸の（カルボン酸基に対してα位の）炭素置換誘導体、アルキレンジアミノポリ酢酸、ならびにアミノカルボン酸基を含まないアミノ酢酸フラグメントの種々の残部を有するポリアルキレンポリアミノポリ酢酸の（該カルボン酸基に対してα位の）炭素置換誘導体、ω−ホスホノカルボン酸およびエチレンジホスホンテトラプロピオン酸の誘導体、エチレンテトラ（チオ酢酸）およびジエチレントリチオジ酢酸の誘導体、カルボン酸基がホスホン基によって置換されているモノアミンコンプレクソン、またはそれらの混合物のアニオンから選択される、請求項６または１１に記載の消毒組成物。
【請求項１３】
単座配位子、２座配位子または多座配位子を含むキレート化金属錯体化合物が、イソロイシン、フェニルアラニン、ロイシン、リジン、メチオニン、トレオニン、トリプトファン、バリン、アラニン、グリジン、アルギニン、ヒスチジンまたはそれらの混合物から選択される少なくとも１つのアミノ酸を有するキレート化錯体化合物である、請求項６または１１に記載の消毒組成物。
【請求項１４】
単座配位子、２座配位子または多座配位子を含む前記キレート化錯体金属化合物が、グリシネート銅ハライド錯体である、請求項６に記載の消毒組成物。
【請求項１５】
前記金属のキレート化錯体化合物が、エチレンジアミノテトラ酢酸亜鉛錯体である、請求項６に記載の消毒組成物。
【請求項１６】
前記イオン発生性界面活性剤が、セチルピリジニウムハロゲン化物である、請求項６に記載の消毒組成物。
【請求項１７】
前記イオン発生性界面活性剤が、セチルトリメチルアンモニウムハロゲン化物である、請求項６に記載の消毒組成物。
【請求項１８】
局所殺微生物性組成物であって、請求項１に記載の殺微生物性消毒組成物およびそれに適切なキャリアを含む、組成物。
【請求項１９】
表面領域または大気領域を清浄かつ衛生的にするために適切な組成物であって、請求項１に記載の殺微生物性消毒組成物および必要に応じて適切なキャリアを含む、組成物。
【請求項２０】
前記表面が、非多孔性硬質表面である、請求項１９に記載の組成物。
【請求項２１】
前記表面または大気領域が、家庭環境、商業環境または施設環境である、請求項２０に記載の組成物。
【請求項２２】
サンプルを除染する方法であって、該サンプルと物理的に接触した該組成物が、該サンプル上の細菌、ウイルス、真菌もしくは芽胞を殺傷するか、または該サンプル上の細菌、ウイルス、真菌もしくは芽胞を無効にする条件下で、該サンプルを、請求項１に記載の抗微生物消毒組成物で処理する工程を包含する、方法。
【請求項２３】
木、金属、布地、糸、カンバス、絨毯地、紙、セメント、コンクリートまたは石造物のような基材をコーティングするように処方される、請求項１に記載の殺微生物性消毒組成物。
【請求項２４】
スイミングプール、温泉、および温水浴槽中の水を衛生的にし、それによって該水中の病原体生物のレベルを低下させる方法であって、該水を、有効量の請求項１に記載の殺微生物性消毒組成物で処理する工程を包含する、方法。
【請求項２５】
コーティングが適用される基材に保護層を提供する際に有用な保護コーティング組成物であって、該保護コーティングは、殺微生物作用または消毒作用を提供し、該組成物は、有効量の請求項１に記載の該微生物組成物およびその適切なビヒクルを含む、組成物。
【発明の詳細な説明】
【技術分野】
【０００１】
（発明の分野）
広範囲（ｗｉｄｅ  ａｒｅ）の適用における細菌、真菌およびウイルスの制御および／または除去において有用な、殺微生物性（ｍｉｃｒｏｂｉｏｃｉｄａｌ）組成物または消毒（ｄｉｓｉｎｆｅｃｔａｎｔ）組成物に関する。これらの組成物は、消毒するために有用であり、食品産業ならびに国家経済および自治体経済、公共サービスおよび共用サービス、公共のケータリング施設、薬、全ての種類の実験室、個人的生活などの種々の領域における使用が意図される。本発明の組成物は、国家経済の種々の領域において、汎用の消毒剤、滅菌剤、殺細菌剤、殺真菌剤および／または殺ウイルス剤として適用され得る。
【背景技術】
【０００２】
（関連出願）
本願は、２００２年６月２８日に出願した米国出願第１０／１８５，０２４号の一部継続出願である。米国出願第１０／１８５，０２４号は、本明細書中に参考として明らかに援用される。
【０００３】
（発明の背景）
周知の消毒剤の１つは、過酸化水素およびその調製物である。この群の代表は、過酸化水素、ラウリル硫酸マグネシウム、グリセリン、オレイン酸ナトリウム、ＥＤＴＡの二ナトリウム塩、安息香酸ナトリウムおよび水を含む消毒調製物である（ＲＵ２１０８８１０Ｃ１，１９９８）。この薬剤は、家庭、衛生機器、リネン、医療品における表面を除染することを意図しており、その効力は充分ではない。これは、ヒトにも動物にも毒性ではない。
【０００４】
広範に公知であるのは、ランチオニンおよびキレート剤を含む、上昇した活性を示す殺細菌剤組成物である。適切なキレート剤は、例えば、エチレンジアミノ四酢酸（ＥＤＴＡ）、その塩およびシトレートである（米国特許第５，２６０，２７１号；米国特許第５，３３４，５８２号）。
【０００５】
また公知であるのは、殺細菌剤（ｂａｃｔｅｒｉｃｉｄｅ）であり、これは、組成物（α−アミノ酸を有する金属錯体が挙げられ、酸性媒体中で得られる）および消毒剤を含む（米国特許第６，２４２，００９号）。
【０００６】
キレート化金属錯体が、酸性媒体中では、ごくわずかな濃度でのみ存在することが公知である（Ｆｕｎｄａｍｅｎｔａｌｓ  ｏｆ  Ａｎａｌｙｔｉｃａｌ  Ｃｈｅｍｉｓｔｒａ  Ｂｏｏｋ  １，Ｍｏｓｃｏｗ−「Ｍｉｒ」−Ｄ．Ｓｋｏｏｇ，Ｄ．Ｗｅｓｔ，１９７９）。
【０００７】
例えば、ＥＤＴＡとしてのキレート剤は、６．０より高いｐＨでは、金属イオンを完全に結合して、キレート化錯体を形成する。天然アミノ酸がその一例である、より弱いキレート剤については、全ての金属イオンに結合してキレート化錯体となるには、媒体のｐＨ値は、より高いべきではない。本発明者らによって実施された調査によれば、米国特許第６，２４２，００９号（「’００９特許」）では、解離しないキレート化錯体へのアミノ酸および金属イオンの変換が、７．０より高いｐＨでのみ生じ得、そしてこの特許に記載される実施例に従った鉱酸の添加がキレート化錯体の破壊をもたらすことが示された。さらに、このアミノ酸のアミノ基は、プロトン化され、そしてこの金属は、イオン形態で存在する。’００９に記載される化合物の抗微生物活性は、キレート化錯体の活性に寄与しないかもしれないが、金属イオンの活性に寄与し得、これは、文献から公知のように、特定の殺細菌活性（特に、引用された銀イオン）もまた示す。ヒ素化合物およびセレン化合物が’００９において金属として引用され、そしてそれらの抗細菌活性が、ヒトを含めた全ての生存生物体に対する高毒性によって決定され得ることもまた留意されるべきである。’００９特許において記載される錯体に対して添加物として導入される強力な消毒剤（クロロヘキシジン（ｃｈｌｏｒｏｈｅｘｙｄｉｎｅ）、過酸化水素）の存在が、この調製物の活性を上昇させ得ることは疑いない。
【０００８】
また記載されるのは、塩化セチルトリメチルアンモニウムを活性化合物として含む殺細菌組成物である（ＤＥ  ４３２６８６６，１９９５；米国特許第５，２０６，０１６号；米国特許第５，５７５，９９１号）。
【０００９】
興味深いのは、活性化合物として、塩化セチルトリメチルアンモニウム、鉱酸または有機酸および溶媒を含む、防腐調製物である（ＲＵ  ２１１８１７４Ｃ１）。既知の化合物は、グラム陰性微生物叢に対して殺細菌活性を示し、これは、細菌病因およびウイルス病因の腸感染および他の感染に対して、ならびに炭疽に対して、実質的に有効ではない。
【００１０】
また公知であるのは、バクテリオシン（ｂａｃｔｅｒｉｏｃｉｎｅ）、キレート剤、安定剤、界面活性剤、塩およびアルコール（ＲＵ  ２１６３１４５）を含む、消毒調製物である。公知の調製物は、動物における乳腺炎の予防のために適用されるナプキンを含浸するために用いられる。
【００１１】
本発明に対する関連組成物は、活性な化合物−過酸化物化合物、界面活性剤、キレート化錯体および溶媒を含む、消毒調製物である（ＲＵ２０６１４４９７）。この組成物は、１８℃〜２５℃というプラスの温度で用いられた場合にのみ活性である。細菌不活化の延長は、５〜３０分間の間隔で変動する。
【発明の開示】
【課題を解決するための手段】
【００１２】
（発明の要旨）
本発明の目的は、非常に有効な汎用の、消毒、防腐および殺細菌性、殺真菌性または殺ウイルス性の組成物を提供することであり、この組成物は、プラスの温度およびマイナスの温度において広範に有用であり、殺微生物作用および消毒作用の期間を長期化させるために有用である。本発明のさらなる目的は、殺微生物作用または消毒作用の時間の長さを長くすることである。本発明の組成物は、長期保存に適切であり、安全に使用され、そして高い殺細菌活性、殺ウイルス活性、殺真菌活性および殺芽胞活性を示し、そして動物およびヒトに対して無毒性である。本発明の抗微生物性および抗殺芽胞性組成物は、広範な種々のユーティリティ領域において有用である。これらの組成物は、被験体における殺微生物性感染の処置における局所適用として有用である。出願人の組成物は、種々の表面に適用され得、そしてこのように適用されたこれらの組成物は、滅菌剤または殺菌剤として作用し得る。同様に、本発明の組成物は、例えば、スイミングプール、温泉などのような適用領域において、ランドリーセッケンもしくは界面活性剤添加剤として、塗料もしくは表面コーティング添加剤として、天然表面もしくは合成表面の防腐剤（例えば、表面（例えば、ポリマー、プラスチックもしくは木）における微生物叢増殖の予防）として、硬質表面もしくはカーペットの殺菌剤として、用いられ得る。これらの組成物は、一般に、多くの産業適用、医療適用、農業適用、獣医学的適用および家庭適用において、微生物叢および芽胞の制御および／または除去において有用である。さらに、本発明の組成物は、例えば、家庭および工業用地、ならびに飛行機などの大気の洗浄を含め、気体環境を滅菌または消毒するために用いられ得る。
【発明を実施するための最良の形態】
【００１３】
（発明の詳細な説明）
明らかに、病原体曝露に関連した感染性、罹病率、および死亡率を低下させる、抗病原性組成物および方法が必要とされている。このような組成物および方法は、好ましくは、微生物耐性を促進するかまたはレシピエントに対して毒性であるという、望ましくない特性を有すべきではない。
【００１４】
本発明は、種々の病原体に関連した、感染性、罹病率および死亡率を低下させるための組成物および方法に関する。本発明はまた、病原体および微生物がコロニー形成しているかさもなければ感染している、領域、サンプル、表面、溶液、および食料品を除染するための、方法および組成物に関する。
【００１５】
いくつかの実施形態では、本発明は、病原体に曝露されたかまたは病原体の脅威に曝されている、動物（ヒトを含む）を処置するために適切な、組成物および方法を提供する。いくつかの実施形態では、この動物を、病原体生物への曝露の前に、有効量の組成物と接触させる。他の実施形態では、この動物を、病原体生物への曝露後に、有効量の組成物と接触させる。従って、本発明は、微生物感染の予防および処置の両方を意図する。
【００１６】
他の実施形態では、本発明は、病原体に曝露されているかまたは病原体を含む疑いのある、領域、溶液および表面（有機サンプルおよび無機サンプルを含む）を除染するために適切な、組成物および方法を提供する。本発明のなお他の実施形態では、この組成物は、生物学的サンプルおよび環境サンプルにおける有害かまたは望ましくない微生物の増殖を予防するために、添加剤として用いられる。
【００１７】
本明細書中で用いられる場合、用語「微生物」とは、藻類、細菌、真菌（苔癬を含む）、原生動物、ウイルス、および亜ウイルス因子の範疇にある、微視的生物体および分類学的に関連した微視的生物体をいう。用語微生物は、別の生物体（例えば、ヒトを含めた動物および植物）に対してそれら自体においてもしくは自然に病原性である生物体、および別の生物体に対して病原体である因子を生じるが他の生物に対してはその生物体自体は直接的には病原性でも感染性でもない生物体を包含する。本明細書中で用いられる場合、用語「病原体」および文法上の同等の表現は、他の生物体に直接感染することにより、または別の生物体における疾患を引き起こす因子を生成することにより（例えば、病原性毒素などを生成する細菌）、別の生物体（例えば、動物および植物）における疾患を引き起こす生物体（微生物を含む）をいう。
【００１８】
用語「宿主」または「被験体」は、本明細書中で用いられる場合、本発明の組成物によって処置されるべき生物体をいう。このような生物体としては、１以上の病原体に曝露されているかまたは曝露されている疑いのある生物体が挙げられる。このような生物体としてはまた、病原体への望ましくない曝露を予防するために処置されるべき生物体が挙げられる。生物体としては、動物（例えば、ヒト、家畜動物種、野生動物）および植物が挙げられるがこれらに限定されない。
【００１９】
本明細書中で用いられる場合、用語「不活化する」および文法的に同等の表現は、病原体が宿主に感染する能力および／または病理学的応答を引き起こす能力を殺傷、除去または低減する能力を有することを意味する。
【００２０】
本明細書中で用いられる場合、用語「接触される」および「曝露される」とは、本発明の組成物が微生物または病原体（存在する場合）を不活化し得るように、１以上の本発明の組成物を病原体または病原体に対して保護されるべきサンプルと接触させることをいう。本発明は、存在する場合、微生物または病原体を不活化し得る。本発明は、開示された組成物が、病原体または微生物因子を不活化するに充分な体積および／または濃度で病原体または微生物因子と接触することを意図する。
【００２１】
本明細書中で用いられる場合、用語「局所的に活性な因子」とは、宿主への適用（接触）部位において薬理学的応答を惹起する、本発明の組成物をいう。
【００２２】
本明細書中で用いられる場合、用語「表面」は、その最も広い意味で用いられる。１つの意味では、この用語は、本発明の組成物と接触し得る、生物体または無生物物体（例えば、乗り物、建造物および食品加工機器など）の最も外側の境界（例えば、動物については：皮膚、毛髪および毛皮など、そして植物については：葉、茎、開花部分および子実体など）をいう。別の意味では、この用語はまた、多数の経皮送達経路（例えば、注射、接触、経皮送達、吸入など）のうちのいずれかによって、組成物によって接触され得る、動物および植物の内部の膜および表面（例えば、動物については：消化管、脈管組織など、そして植物については：維管束組織など）を意味する。
【００２３】
特定の実施形態では、この接触は、この病原性因子を殺傷するかまたはこの因子の増殖を阻害するに充分な時間にわたって実施される。他の実施形態では、本発明は、有害かまたは望ましくない病原体を保有する、環境表面または領域または大気を除染する方法を提供する。１つのこのような実施形態では、この病原性因子は、環境表面に関連しており、この方法は、この環境表面を、この表面を除染するために充分な量の組成物と接触させることを包含する。そのように所望してもよいが、除染は、病原体を完全に除去する必要はない。いくつかの実施形態では、この組成物および方法は、処置された表面が、本発明の組成物で充分に処置されたことを確実にするために、染料、塗料ならびに他のマーキング化合物および同定化合物をさらに含み得る。
【００２４】
本発明の組成物が局所薬剤として投与される場合、この組成物は、薬学的に受容可能な調整剤、賦形剤、安定剤、希釈剤などをさらに含むことが意図される。なおさらなる実施形態では、本発明は、さらなる薬学的に受容可能な生理活性物質をさらに含む組成物を意図する。薬学的活性の場合、有効量は、所望の最終結果を達成する際に有用な投薬量に関連する。このような投薬量は、被験体（すなわち、年齢およびサイズ）に依存し、当業者によって容易に確認され得る。
【００２５】
病原性微生物体が活性なまま長期間滞在し得る種々の表面（特に、硬質表面）上の病原性微生物体の除去は、家庭における防腐キッチンおよびバスルーム、ならびに商業環境および設備環境（例えば、病院、医療クリニック、ホテルおよびレストラン）を長期にわたって清浄にして維持することを要求する人々の目的であった。さらなる目的は、バスルーム表面上のカビおよび白カビの増殖によって引き起こされるアレルゲンの形成を予防することであった。
【００２６】
本発明は、清浄にする、衛生的にする（ｓａｎｉｔｉｚｉｎｇ）、消毒する、ならびにカビおよび白カビを阻害する、非多孔性硬質表面（例えば、ガラス（例えば、鏡およびシャワードア）、釉薬をかけた磁器、金属（例えば、クロム、ステンレス鋼、およびアルミニウム）、セラミックタイル、エナメル、繊維状ガラス、Ｆｏｒｍｉｃａ（登録商標）、Ｃｏｒｉａｎ（登録商標）およびプラスチック）用の組成物にさらに関連する。
【００２７】
防腐適用において用いられる場合、本発明の方法および組成物は、（好ましくは、正常な微生物叢に対する損傷を最少にしながら）病原性微生物による広範囲の感染を処置するために用いられ得る。本明細書中で用いられる場合、「病原性微生物または微生物」は、宿主中に通常は存在しないかまたは病原性程度まで宿主中に過剰に居住している、病原性の細菌、真菌などを包含することが意図される。宿主の病原体感染をもたらす微生物は周知である。従って、本発明の方法および組成物は、以下のものの処置を含むがそれらに限定されない、感染部位への本発明の組成物の送達を許容して、いずれかの状態に関連した病原性微生物による感染予防の処置において用いられ得る：表層創傷または外科手術の創傷、熱傷または他の重大な表皮損傷（例えば、中毒性表皮壊死症）、尿路感染症（例えば、膀胱炎および尿道炎）、膣炎（例えば、外陰部膣炎および子宮頚管炎）、歯肉炎、外耳炎、ざ瘡、外部真菌感染、上気道感染、胃腸管感染、亜急性細菌性内膜炎、および本発明の組成物が有効に送達され得る他の細菌性もしくは真菌性の感染。本発明の実施において選択的に殺傷され得る病原性微生物としては、以下が挙げられるがこれらに限定されない：Ｓｔｒｅｐｔｏｃｏｃｃｕｓ  ｐｙｏｇｅｎｅｓ、Ｓｔｒｅｐｔｏｃｏｃｃｕｓ  ａｇａｌａｃｔｉａｅ、Ｓｔａｐｈｙｌｏｃｏｃｃｕｓ  ａｕｒｅｕｓ、Ｓ．ｐｎｅｕｍｏｎｉａｅ、Ｅ．ｆａｅｃａｌｉｓ、Ｓ．ｅｐｉｄｅｒｍｉｄｉｓ、Ｐｓｅｕｄｏｍｏｎａｓ  ａｅｕｒｇｉｎｏｓａ、Ｅｓｃｈｅｒｉｃｈｉａ  ｃｏｌｉ、Ｂａｃｉｌｌｉｓ  ｓｕｂｓｔｉｌｉｓおよび他の大腸菌型細菌、Ｃａｎｄｉｄａ  ａｌｂｉｃａｎｓならびにＴ．ｒｕｂｒｕｍおよび他の感染性細菌真菌。
【００２８】
この防腐組成物は、任意の有効な薬学的に受容可能な形態で、温血動物（ヒトおよび動物被験体が挙げられる）に、例えば、局所投薬形態（例えば、局所スプレー、口腔スプレーまたは鼻腔スプレー）において、または微生物感染部位への送達に有用な任意の他の様式において、投与され得る。投与経路は、好ましくは、防腐組成物と感染性微生物との直接的な接触を得るように設計される。
【００２９】
局所適用については、この薬学的に受容可能なキャリアは、液体、クリーム、ローションまたはゲルの形態を採り得、そして有機溶媒、乳化剤、ゲル化剤、保湿剤、安定剤、界面活性剤、湿潤剤（ｗｅｔｔｉｎｇ  ａｇｅｎｔ）、防腐剤、時限放出剤（ｔｉｍｅ  ｒｅｌｅａｓｅ  ａｇｅｎｔ）ならびに微量の湿潤剤（ｈｕｍｅｃｔａｎｔ）、隔離剤、染料、香料および局所投与用の薬学的組成物において通常用いられる他の成分をさらに含み得る。本発明の組成物は、微生物感染部位へとこの組成物を送達するための、吸収性材料（例えば、縫合糸、包帯、およびガーゼ）中に含浸され得るか、または固相材料（例えば、ステープル、ジッパーおよびカテーテル）の表面にコーティングされ得る。この型の他の送達系は、当業者に容易に明らかである。
【００３０】
局所適用については、この薬学的に受容可能なキャリアは、液体、クリーム、フォーム、ローションまたはゲルの形態を採り得、そして有機溶媒、乳化剤、ゲル化剤、保湿剤、安定剤、界面活性剤、湿潤剤（ｗｅｔｔｉｎｇ  ａｇｅｎｔ）、防腐剤、時限放出剤、ならびに微量の湿潤剤（ｈｕｍｅｃｔａｎｔ）、隔離剤、染料、香料および局所投与用の薬学的組成物において通常用いられる他の成分をさらに含み得る。
【００３１】
本発明はまた、本明細書中に記載される特定の組成物が、食品が食品によって運ばれる細菌、真菌および毒素で汚染することを防止する際およびこれらに汚染した食品を処理する際に食品加工産業および食品調製産業において用いられ得ることを意図する。従って、このような組成物は、微生物の増殖を低減もしくは阻害するために、さもなければ、食品の微生物汚染の有害な影響を除去（ａｂｒｏｇａｔｅ）するために、用いられ得る。これらの適用について、本発明の組成物は、食品産業で適用可能な形態（例えば、添加剤、防腐剤または調味料）において適用される。
【００３２】
このような適用について、受容可能なキャリアは、液体、クリーム、フォーム、ゲルの形態を採り得、そして溶媒、乳化剤、ゲル化剤、保湿剤、安定剤、湿潤剤（ｗｅｔｔｉｎｇ  ａｇｅｎｔ）、防腐剤、隔離剤、染料、香料および食品加工産業において通常用いられる他の成分をさらに含み得る。
【００３３】
本発明の別の実施形態では、この食品組成物は、食品が加工、包装および貯蔵される、食品産業のデバイス、装置および領域を例えば、消毒または滅菌する適用について特に設計され得る。この型の適用について、この組成物は、液体またはフォームの形態で便利に提供され得、そして乳化剤、界面活性剤（ｓｕｆｆａｔａｎｔ）、緩衝化剤、湿潤剤、防腐剤およびこの型の組成物中に通常見出される他の成分が提供され得る。いくつかの実施形態では、この組成物は、農業製品の輸送前または輸送の間に農業製品を生成するために適用される。本発明の組成物は、輸送および貯蔵の間の食品汚染の予防のための包装材料において通常用いられる吸収性材料（例えば、段ボールまたは紙包装）中に含浸され得る。この型の他の送達系は、当業者に容易に明らかである。
【００３４】
一般に、本発明は、環境除染剤としての用途を見出す、そして軍隊およびテロリストの両方の攻撃における犠牲者を処置するための、組成物および方法を意図する。実験動物における低毒性と合わせた、広範囲の病原体（栄養体細菌および被膜性ウイルスおよび細菌芽胞が挙げられる）の不活化は、本発明の組成物を、特定の病原体が同定される前の一般的除染剤としての使用に適切にする。本発明の好ましい組成物は、多量に迅速に生成され得、そして広範囲の温度において何ヶ月もの間安定である。これらの特性は、広範囲の除染適用に有用であるという融通性を提供する。
【００３５】
例えば、本発明の特定の処方物は、多くの（ｍａｙ  ｏｆ）細菌の芽胞および生物戦において用いられる因子を破壊することに有用である。これに関して、本発明の組成物および方法は、生物戦因子によって汚染された人員および材料を除染する際に有用である。本発明の溶液は、基づくグラウンドから、または空中散布系から、汚染された材料または人員に直接的に噴霧され得る。これらの適用のうちの特定のものでは、本発明は、有効量の組成物を、汚染した材料または人員と接触させて、その結果、除染を生じさせることを意図する。あるいは、個人用除染キットは、生物兵器に汚染される可能性のある、軍隊または一般市民に供給され得る。
【００３６】
低い毒性と組み合わせた、広範囲の病原体（栄養体細菌および被膜性ウイルスを含む）の不活化は、本発明の組成物を、特定の病原体が同定される前の一般的除染剤としての用途に特によく適切にする。
【００３７】
従って、本発明の特定の実施形態は、土壌、機械、乗り物および他の機器ならびに望ましくない病原体に供され得る水路を除染するための消毒剤および界面活性剤における、本発明の組成物の使用を具体的に意図する。このような除染手順は、液体スプレーの形態の処方物の単純な適用を含んでもよく、またはより厳密なレジメンを必要としてもよい。また。本発明の組成物は、種々の植物ウイルスについて作物を処理するために、（従来の抗生物質の代わりに、または従来の抗生物質とともに使用するために）用いられ得る。本発明の組成物はまた、農場動物、動物の囲い、周囲の表面、および動物の死体を除染して、例えば、口蹄疫の非被膜ウイルスを除去するために用いられ得る。
【００３８】
土地および機器の除染におけるそれらの使用に加えて、この処方物はまた、一般的消毒目的の家庭用界面活性剤における用途を見出す。さらに、本発明のいくつかの実施形態は、細菌または真菌による食品の汚染を予防するために用いられ得る（例えば、無毒性組成物）。これは、食品調製プロセスにおいて、または添加剤、消毒剤もしくは防腐剤としての食品への添加によってのいずれかで行われ得る。
【００３９】
本発明の組成物は、硬質表面上で液体形態またはエアゾール形態で用いられ得る。従って、上記の成分は、１以上の適切な水性または非水性のキャリア液体と混合される。キャリアの選択は重要ではない。しかし、これは、安全であるべきであり、これは、本発明の組成物と化学的に適合性であるべきである。いくつかの実施形態では、このキャリア液体は、硬質表面清浄化組成物において通常用いられる溶媒を含み得る。このような溶媒は、本発明の組成物と適合性であるべきであり、本発明の組成物のｐＨにおいて化学的に安定であるべきである。硬質表面クリーナーにおいて使用するための溶媒は、例えば、その全体が本明細書中に援用される、米国特許第５，１０８，６６０号に記載される。
【００４０】
本発明は、サンプルを本発明の抗微生物組成物で処理し、その結果、表面上の細菌、ウイルス、真菌もしくは芽胞が、殺菌または無能にされることにより、サンプルを除染することにさらに関する。意図される表面は、固体表面（例えば、家庭または商業施設もしくは医療施設における表面、または医療用デバイスの表面）であり得る。さらに、この表面は、生物体の表面であり得、そして生物体の内部表面または外部表面であり得る。この表面は、さらに、食料品の表面であり得る。
【００４１】
本発明の組成物は、大気中に噴霧されて、大気中の有害微生物を不活化し得る。このような噴霧消毒剤は、当業者によって容易に処方され、そしてキャリアの選択は、当該分野の技術範囲内にある。
【００４２】
本発明はさらに、種々の病原体に関連した、感染性、罹病率および死亡率を低減するための、組成物および方法、ならびに病原体および微生物によってコロニーが形成されたかさもなければこれらに感染した、領域、サンプル、溶液および食料品を除染するための方法および組成物に関する。
【００４３】
本発明は、イオン発生性（イオン発生性）界面活性剤、キレート化錯体および溶媒を含む、殺微生物剤または抗殺芽胞剤（ａｎｔｉｓｐｏｒｉｃｉｄａｌ）を含む。本発明によれば、このキレート化錯体は、金属化合物を含み、この金属化合物は、単座配位子、２座配位子または多座配位子を含み、この配位子は、水素イオンに対する親和性を示し、この界面活性剤と一緒になって、この溶媒に対して、約１〜約（７〜９）の比にある。
【００４４】
本発明の配位子を含むキレート化金属錯体化合物は、金属（例えば、銅、亜鉛、水銀、クロム、マンガン、ニッケル、カドミウム、ヒ素、コバルト、アルミニウム、鉛、セレン、白金、金、チタンもしくはスズまたはそれらの組み合わせ）を有するキレート化錯体化合物である。
【００４５】
２座配位子および多座配位子は、例えば、天然アミノ酸、イミノ二酢酸またはニトリル三酢酸、ならびにアミノカルボン酸基を含まないアミノ酸フラグメントの種々の残部を有する、イミノ二酢酸およびニトリル三酢酸の（カルボン酸基に対してα位の）炭素置換誘導体、アルキレンジアミノポリ酢酸、ならびにアミノカルボン酸基を含まないアミノ酢酸フラグメントの種々の残部を有するポリアルキレンポリアミノポリ酢酸の（該カルボン酸基に対してα位の）炭素置換誘導体、ω−ホスホノカルボン酸およびエチレンジホスホンテトラプロピオン酸の誘導体、エチレンテトラ（チオ酢酸）およびジエチレントリチオジ酢酸の誘導体、カルボン酸基がホスホン基によって置換されているモノアミンコンプレクソン、またはそれらの混合物のアニオンである。
【００４６】
単座配位子、２座配位子または多座配位子を含むキレート化金属錯体化合物は、少なくとも１つのアミノ酸（例えば、イソロイシン、フェニルアラニン、ロイシン、リジン、メチオニン、トレオニン、トリプトファン、バリン、アラニン、グリシン、アルギニン、ヒスチジンまたはそれらの混合物）を有するキレート化錯体化合物であり得る。
【００４７】
本発明の１つの実施形態は、殺微生物性または殺芽胞性の組成物を含み、この組成物は、イオン発生性界面活性剤、キレート化錯体および溶媒を含み、ここで、このキレート化錯体は、単座配位子、２座配位子または多座配位子を含む、キレート化金属錯体化合物を含み、この配位子は、水素イオンに対する親和性を示し、そしてこの溶媒は、以下の重量％比の水と脂肪族アルコール（Ｃ１〜Ｃ８）との混合物を含む：
水素イオンに対する親和性を示す、単座配位子、２座配位子または多座配位子を含む、キレート化錯体金属化合物：約１〜３０；
イオン発生性界面活性剤：約０．１〜１５；
脂肪族アルコール（Ｃ１〜Ｃ８）：約０．５〜９５；
蒸留水：残り。
【００４８】
本発明の１つの局面は、消毒組成物を含み、この消毒組成物は、イオン性界面活性剤、キレート化錯体および溶媒を含む。このキレート化錯体は、キレート化錯体金属化合物を含み、このキレート化錯体金属化合物は、一般に用いられる単座配位子、２座配位子および多座配位子とともに、水素イオンに対して親和性を示すさらなる単座配位子を含み、そして例示的な溶媒は、蒸留水および脂肪族アルコール（Ｃ１〜Ｃ８）を、以下の重量％比で有する：
水素イオンに対して親和性を示す、単座配位子、２座配位子または多座配位子を含む、キレート化金属錯体化合物：約１〜３０；
イオン発生性界面活性剤：約０．１〜１５；
脂肪族アルコール（Ｃ１〜Ｃ８）：約０．５〜９５；
蒸留水：残り。
【００４９】
例示的なキレート化金属錯体化合物は、グリシネート銅塩化物錯体およびエチレンジアミノテトラアセテート亜鉛錯体を含む。
【００５０】
適切なハロゲン含有イオン発生性化合物は、例えば、塩化物イオンを含む化合物、フッ化物イオンを含む化合物、臭化物イオンを含む化合物およびヨウ化物イオンを含む化合物から選択され得る。好ましい実施形態では、適切なカチオン性ハロゲン含有化合物としては、以下が挙げられるがこれらに限定されない：セチルピリジニウムハライド、セチルトリメチルアンモニウムハライド、セチルジメチルエチルアンモニウムハライド、セチルジメチルベンジルアンモニウムハライド、セチルトリブチルホスホニウムハライド、ドデシルトリメチルアンモニウムハライド、またはテトラデシルトリメチルアンモニウムハライド。他の特定の実施形態では、適切なカチオン性ハロゲン含有化合物としては、以下が挙げられるがこれらに限定されない：セチルピリジニウムクロリド（ＣＰＣ）、セチルトリメチルアンモニウムクロリド、セチルベンジルジメチルアンモニウムクロリド、セチルピリジニウムブロミド（ＣＰＢ）、セチルトリメチルアンモニウム（ｃｅｙｌｔｒｉｍｅｔｈｙｌａｍｍｋｏｎｉｕｍ）ブロミド（ＣＴＡＢ）、セチルジメチルエチルアンモニウム（ｃｅｔｙｉｄｉｍｅｔｈｙｌｅｔｈｙｌａｍｍｏｎｉｕｍ）ブロミド、セチルトリブチルホスホニウムブロミド、ドデシルトリメチルアンモニウムブロミド、およびテトラデシルトリメチルアンモニウムブロミド。特に好ましい実施形態では、このカチオン性ハロゲン含有化合物はＣＰＣであるが、本発明の組成物は、特定のカチオン含有化合物を有する処方物に限定されない。
【００５１】
例示的なイオン発生性界面活性剤は、セチルピリジニウムハロゲン化物（ｃｅｔｙｌｐｙｒｉｄｉｎｉｕｍ  ｈａｌｏｇｅｎｉｄｅ）およびセチルトリメチルアンモニウムハロゲン化物を含む。
【００５２】
金属錯体化合物は、有用な消毒性および抗細菌性の調製物である。これらは、広範囲の抗細菌作用を示す殺細菌試薬であり、病原体の微生物叢を不可逆的に殺傷する。金属錯体化合物の作用機構は、微生物のタンパク質殻および酵素系のアミノ酸基をブロックすることに基づく。最初の段階では、キレート化錯体との会合が形成され、次いで、単座配位子、２座配位子または多座配位子が、タンパク質のアミノ基によって置換され、このことが、微生物における代謝プロセスの完全なブロッキングおよびそれらの死をもたらす。
【００５３】
ヒト生物体に対する毒性作用により、提唱された化合物は、ＩＹクラスの危険性に関連する。抗細菌処置のための実施において用いられる用量は、皮膚に対しても粘膜に対しても、顕著な毒性効果も刺激効果も引き起こさない。
【００５４】
キレート化金属錯体化合物に基づく提唱された組成物は、動物生物体に対してもヒト生物体に対しても影響を発揮しない。なぜならば、アミノ酸のグループ分けを含む化合物は、交換反応によってこの生物体から引き出されるからである。殺細菌性キレート化錯体は、生物体の大部分の重要な生存機能に対して特に影響を与えない。
【００５５】
提唱された殺細菌剤は、キレート化配位子を有する金属錯体に関連し、この金属錯体は、アルカリ性ｐＨ範囲において得られ、酸性ｐＨ範囲においては得られない。それゆえ、この提唱された組成物は、類似物と皮角して、より広い適用分野を有する。なぜなら、これらは、生態学的に安全であり、異なる殺細菌作用機構に基づく、低い毒性および衛生特性を保有するからである。さらに、この提唱された組成物は、環境の影響に対して増大した化学的安定性を示す（提唱された錯体の安定度定数は、最も近いアナログの安定度定数よりも数桁大きい）。
【００５６】
有用な単座配位子、２座配位子または多座配位子としては、水素イオンに対して親和性を示す配位子が挙げられ、水素イオンに対する親和性は、微生物中のタンパク質のアミノ基によって置換されるそれらの能力を決定する。
【００５７】
提唱された殺菌剤の分子は、金属イオン（好ましくは、例えば、銅（ＩＩ）および亜鉛）ならびに水素イオンに対する親和性を示す、単座配位子、２座配位子または多座配位子（例えば、アンモニア、モノエタノールアミン、ジエタノールアミンおよびトリエタノールアミンなど）を含む。
【００５８】
得られる殺細菌剤組成物のｐＨは、約７．０以上である。
【００５９】
殺細菌剤の合成のために、使用は、金属塩から作製される。この合成は、成分を室温で攪拌することにより、水溶液中で実施される。用いられる単座配位子は、水素イオンに対する親和性を示す水溶性物質である。
【００６０】
本発明の殺細菌剤組成物の顕著な特徴は、約７．０以上のｐＨにおいて、鉱酸の不存在下で、成分の相互作用（混合）が中性媒体中およびアルカリ性媒体中で生じることである。
【００６１】
消毒活性のパラメーターについては、これは、本発明の殺微生物性および殺芽胞性の組成物が充分であり、そしてさらなる消毒調製物（例えば、クロロヘキシジン、過酸化水素など）の使用を全く必要としないことが確立される。
【００６２】
グリシネート銅塩化物錯体およびエチレンジアミノテトラアセテート亜鉛錯体の合成方法は、以下の供給源から公知である：
【００６３】
【数１】
2005531637.tif 000002
グリシネート銅塩化物錯体、エチレンジアミンテトラアセテート亜鉛錯体およびそれらの組成物の抗微生物活性は、Ｓｃｉｅｎｔｉｆｉｃ  Ｒｅｓｅａｒｃｈ  Ｄｉｓｉｎｆｅｃｔｏｌｏｇｙ  Ｉｎｓｔｉｔｕｔｅ，Ｍｏｓｃｏｗにおいて調査された（これらのデータは、２００２年２月１５日にこの協会の報告に示される）。
【００６４】
提唱された組成物における成分の比は、調製物の最適な技術的特徴を提供するように、そして安定な特性を保持するように、選択される。
【００６５】
濃度は、この組成物中で以下の範囲に及ぶ：
キレート化金属錯体：約１％〜３０％；
イオン発生性界面活性剤（４級アンモニウムハロゲン化物−、Ｃ１２〜Ｃ１６−アルキルトリメチルアンモニウム、ジ（Ｃ８〜Ｃ１０−アルキル）ジメチルアンモニウム、特にセチルピリジニウムハロゲン化物およびセチルトリメチルアンモニウムハロゲン化物）：約０．１％〜１５％；
脂肪族アルコール（Ｃ１〜Ｃ８）：約０．５％〜９５％；
水：約３％〜９８％。
【００６６】
この組成物中の成分についての提唱された濃度範囲は、この組成物の上記の殺細菌効率、殺真菌効率および殺芽胞効率を達成する目的によって決定される。
【００６７】
この技術的結果は、イオン発生性界面活性剤として、４級アンモニウムハロゲン化物（特に、Ｃ１２〜Ｃ１６アルキルトリメチルアンモニウム、ジ（Ｃ８〜Ｃ１０−アルキル）ジメチルアンモニウム、Ｃ１２〜Ｃ１６アルキルピリジニウム（特に、セチルピリジニウムおよびセチルトリメチルアンモニウム）ハロゲン化物）を利用することにより、達成することが可能である。
【００６８】
提唱された調製物の産業的適用は、以下の実施例によって確認される。
【実施例】
【００６９】
（実施例１）
２．０ｇの水酸化ナトリウムをフラスコ中の５０ｃｍ３の蒸留水に溶解し、そして攪拌しながら３．７５ｇのグリシンを添加する。６．８ｇの塩化亜鉛を、攪拌中の得られた溶液に少しずつ添加し、続いて３．７５ｃｍ３の２５％アンモニウム水溶液を添加する。別個に、１．２ｇのトリエチレングリコール（ｔｒｙｅｔｈｙｌｅｎｅｇｌｙｃｏｌ）および１５．３ｃｍ３の水の混合物中の０．４３ｇのセチルトリエチルアンモニウム塩化物の溶液を調製する。両方の溶液を混合し、そして水で希釈して、目的物の抗細菌処理のために必要とされる濃度を達成する。
【００７０】
（実施例２）
フラスコ中の６．１ｃｍ３の２５％アンモニア溶液に、２５ｍｌの水および１１．８５ｇのエチレンジアミノ四酢酸を添加する。攪拌しながら、５．４５ｇの二塩化銅を少しずつ添加し、そして２．４ｇのエタノールアミンを注ぐ。形成された溶液は、濃青色になる。別個に、７．３ｃｍ３のイソプロピルアルコールと１０ｃｍ３の水との混合物中の８．１ｇのドデシルベンジルトリメチルアンモニウム塩化物の溶液を調製する。両方の溶液を混合し、希釈して、目的物の抗細菌処理に必要とされる濃度を達成する。
【００７１】
（実施例３）
フラスコ中で、０．４ｇの水酸化ナトリウムを２０ｃｍ３の蒸留水中に溶解し、そして攪拌しながら１．４６ｇのＬ−リジンを添加する。次いで、１．３６ｇの塩化亜鉛を、攪拌しながら少しずつ添加する。得られた溶液を、水中の０．７５ｃｍ３の２５％アンモニウム溶液と混合する。別個に、５６．０ｃｍ３のイソプロピルアルコール中の１２．０ｇのセチルピリジニウム塩化物の溶液を調製する。亜鉛アミノ酸錯体の水溶液を少しずつゆっくりと添加する。この混合物を攪拌し、そして水で希釈して、目的物の抗細菌処理のために必要である濃度を達成する。
【００７２】
（実施例４）
水素イオンに対する親和性を示す単座配位子を含むキレート化金属錯体化合物を、イオン発生性界面活性剤（特に、実施例１に示す通り）と混合する。蒸留水を添加して、１０％または３０％の濃度を達成する（すなわち、１〜９または７のこの溶媒との比）。
【００７３】
（実施例５）
成分を、以下の量（％）で実施例２に記載の通りに混合する：
水素イオンに対する親和性を示す、単座配位子、２座配位子または多座配位子を含む、キレート化金属錯体化合物：３０；
イオン発生性界面活性剤：１５；
脂肪族アルコール（Ｃ１〜Ｃ８）：０．５；
蒸留水：５４．５。
【００７４】
（実施例６）
成分を、以下の重量％で、実施例２に記載の通りに混合する：
水素イオンに対する親和性を示す、単座配位子、２座配位子または多座配位子を含む、キレート化金属錯体化合物：２；
イオン性界面活性剤：１；
脂肪族アルコール（Ｃ１〜Ｃ８）：９５；
蒸留水：２。
【００７５】
（実施例７）
成分を、以下の質量％で、実施例３に記載の通りに混合する：
水素イオンに対する親和性を示す、単座配位子を含む、キレート化金属錯体化合物：１；
イオン発生性界面活性剤：５；
脂肪族アルコール（Ｃ１〜Ｃ８）：２０；
蒸留水：７４。
【００７６】
（実施例８）
成分を、以下の質量％で、実施例３に記載の通りに混合する：
水素イオンに対する親和性を示す、単座配位子、２座配位子または多座配位子を含む、キレート化金属錯体化合物：２；
イオン性界面活性剤：０．１；
脂肪族アルコール（Ｃ１〜Ｃ８）：３０；
蒸留水：６７．９。
【００７７】
（殺細菌活性）
サンプルの消毒特性を調査するために、試験微生物として、以下を用いた：栄養体形態の細菌Ｅ．ｃｏｌｉ（１２５７株）（これは、腸感染の病原体をシミュレーションする；グラム陰性細菌）；Ｓｔａｐｈｙｌｏｃｏｃｃｕｓ  ａｕｒｅｕｓ（９０６株）（これは、気道の感染をシミュレーションし、病因感染の病原体である；グラム陽性細菌）、ならびに細菌Ｂａｃｉｌｌｕｓ  ｃｅｒｅｕｓ（９６株）（これは、嫌気性感染をシミュレーションする；ガス壊疽、破傷風および炭疽）。
【００７８】
キレート化金属錯体（例えば、グリシネート銅アンモニウム塩化物）の最初の調査は、それらの、栄養体形態に対して高い充分な効力を明らかにした（表１を示す図１を参照のこと）。
【００７９】
増加する抗細菌効力（特に、殺芽胞特性）については、イオン発生性界面活性剤（セチルピリジニウム塩化物、セチルトリメチルアンモニウムブロミド）を、キレート化金属錯体化合物の溶液に導入した。従って、グリシネート銅アンモニウム塩化物およびセチルトリメチルアンモニウム臭化物に基づく、この得られた組成物（調製物１、表１を示す図１を参照のこと）は、グラム陰性細菌およびグラム陽性細菌に対する相乗作用を示す。
【００８０】
キレート化亜鉛錯体に基づく調製物の中でも、上記の種類の細菌に対して最も高い活性は、調製物２によって示される（表１を示す図１を参照のこと）によって示される。この調製物は、２−アミノエタノールエチレンジアミノテトラアセテート亜鉛錯体およびセチルピリジニウム塩化物に基づく。
【００８１】
水−アルコール溶液（７０体積％イソプロピルアルコール）中の５％エチレンジアミノテトラアセテート亜鉛溶液からなる、この調製物の調査は、１２８倍希釈において、栄養体型の細菌に対する活性を示し、一方、炭疽（芽胞）に対しては、１６倍希釈で活性を示した。
【００８２】
提唱された汎用の生態学的に安全な殺細菌調製物は、芽胞形態を包含する、主な形態および種類の病原性微生物叢を消毒するために意図される。この調製物は、増大した生態学的特性を示し、これは、金属イオンを無毒性キレート化錯体へと変換する無毒性キレート剤を適用することにより達成される。
【００８３】
この調製物は、以下を可能にする：
殺細菌剤錯体のコストを低減すること；
提唱された殺細菌剤キレート化金属錯体が、温度、湿度、光の影響のような環境要因とは独立しているという事実に起因して、環境安定性を増大させること；
何年間にもわたって作用特性を保持すること。
【００８４】
本調査において、この組成物の示された最小値よりも成分含量が低い場合に、この調製物の殺細菌剤の影響および安定性が低下することが確立される。
【００８５】
本発明の標準的な調査は、以下のような病原体に対して、この調製物の高い効率を示した：
−腸感染（グラム陰性細菌）−ｐｓｅｕｄｏｍｏｎａｓ  ａｅｒｕｇｉｎｏｓａ、赤痢（ｄｙｓｅｎｔｅｒｉａ）、サルモネラ症；
−気道および院内感染（グラム陽性細菌）−ブドウ球菌感染症、連鎖球菌感染症、微生物叢など；
−嫌気性感染−創傷感染（破傷風）
−炭疽（芽胞）など。
【００８６】
この調製物は、ウイルス（肝炎、ヘルペス、ＡＩＤＳ感染、ロタウイルス感染）に対して有効に作用する。
【００８７】
殺細菌剤組成物の緩衝化は、ヒトの皮膚の全てのｐＨ値において所望の殺細菌剤効果を提供する。この調製物のｐＨ値は、弱アルカリ性（すなわち、約７．６±０．５）である。
【００８８】
この調製物の適用領域は、ヒトおよび動物の皮膚の汚染開口部の、ならびに大部分の材料の表面の、予防領域および消毒領域である。
【００８９】
その内容物および主な作用により、この調製物は、ヒトおよび動物に対して安全であり、無毒性であり、皮膚を刺激せず、天然繊維および合成繊維に基づく全ての構築材料および布地に対して化学的に中性であり、金属の腐食を引き起こさない。
【００９０】
この組成物が、皮膚、毛髪、爪および粘膜状に適用される場合、この殺細菌剤効果は、２時間以上保持される；一方、材料、布地、および保護カバーの表面上に適用される場合、２４時間以上保持される。
【００９１】
皮膚適用のための温度範囲は、約−２０℃から、約＋４０℃〜約＋５０℃である；表面については、約−５０℃〜約＋５０℃である。この調製物は、９９．９９％の微生物を殺傷する。
【００９２】
急性毒性により、この調製物は、ＩＹクラスの低危険度化合物に関連する。
【００９３】
有効量の成分の混合物は、相乗効果を示し、消毒特性が上昇している。
【００９４】
本願に引用される全ての参考文献は、明らかに、本明細書中に参考として援用される。
【００９５】
種々の改変および置換が、本発明の精神および範囲から逸脱することなく、上記の通り、本発明に対して行われ得ることが当業者によって理解される。従って、本発明が、例示のみによって記載されており、限定のために記載されていないことが理解される。
【図面の簡単な説明】
【００９６】
【図１】表１である。
【図１】
2005531637.tif 000003
【国際調査報告】
2005531637.tif 000004
2005531637.tif 000005
2005531637.tif 000006